(57)【特許請求の範囲】
【請求項１】
内視鏡についての来歴等の情報を管理するために該内視鏡の個体識別情報が書き込まれた第１の識別手段を備えた内視鏡と、
周辺装置の個体識別情報が書き込まれた第２の識別手段を備えた周辺装置と、
上記第１の識別手段及び上記第２の識別手段に書き込まれた個体識別情報を読み取る非接触式の無線を用いた読取り手段と、
上記読取り手段によって読み取った上記個体識別情報を使用して上記内視鏡と上記周辺装置との関連情報を管理する管理手段と、
を備えたことを特徴とする内視鏡管理システム。
【請求項２】
上記識別手段は、電波反射装置を構成することを特徴とする請求項１の内視鏡管理システム。
【発明の詳細な説明】
【０００１】
【発明の属する技術分野】
本発明は、内視鏡、及び内視鏡と内視鏡を接続する周辺機器から構成される内視鏡システムに関する。
【０００２】
【従来の技術】
内視鏡を使用する際、内視鏡は、患者の感染を防止する為に、予め洗滌／消毒されている必要があり、それ故に、洗滌情報（使用洗滌機、洗滌／消毒日時、洗滌／消毒実施者等）が明らかな内視鏡を使用すべきである。
【０００３】
また、内視鏡の破損防止や点検の時期を明確にする為、使用来歴（使用日、使用（洗滌／消毒）の累積回数、使用者、前回の点検／修理日）等の情報が分かることが望ましい。
【０００４】
従来、このような固有の情報はそれを使用するユーザーが確認し、記録に付けていた。
【０００５】
【発明が解決しようとする課題】
従来の技術には以下のような不都合があった。
・内視鏡を複数本有している場合、各々を識別して管理することが面倒であった。
・コンピュータにより、情報を管理する場合でも、その都度入力する必要があり、手間がかかるものであった。
【０００６】
特に、検査と検査の間に内視鏡の洗滌／消毒を行う場合、検査を効率的に行う為にはその時間はできるだけ短いことが望ましいが、短時間の間に上記の情報の記録を行うことは実際上難しかった。
【０００７】
また、スコープにメモリを設けて上記の情報を記憶するようにしたものでは、このメモリが壊れると、その情報も失われてしまう、という不具合もある。
【０００８】
本発明は上記課題に着目してなされたもので、その目的とするところは、これまで、ユーザー自身が行っていた、内視鏡の情報管理／記録を自動的に行うことが可能であり、これにより、ユーザーの負担を軽減し、また、情報管理の確実性を向上させることができる内視鏡及び内視鏡システムを提供することにある。
【０００９】
【課題を解決するための手段】
請求項１に係る発明は、内視鏡についての来歴等の情報を管理するために該内視鏡の個体識別情報が書き込まれた第１の識別手段を備えた内視鏡と、
周辺装置の個体識別情報が書き込まれた第２の識別手段を備えた周辺装置と、
上記第１の識別手段及び上記第２の識別手段に書き込まれた個体識別情報を読み取る非接触式の無線を用いた読取り手段と、
上記読取り手段によって読み取った上記個体識別情報を使用して上記内視鏡と上記周辺装置との関連情報を管理する管理手段と、
を備えたことを特徴とする内視鏡管理システムである。
【００１０】
請求項２に係る発明は、上記識別手段は、電波反射装置を構成することを特徴とする請求項１の内視鏡管理システムである。
【００１２】
内視鏡等は各々識別手段の固有情報を変えることにより、識別されることになり、読取手段がそれを読み取った識別信号は内視鏡を管理する管理手段に伝送され、内視鏡の管理情報を作成する。
【００１３】
一方、周辺機器からも、動作情報等が発信され、管理手段では情報が処理されると共に内視鏡情報に書き加えられ、また、各々の情報を記録し、更新する。
【００１４】
【発明の実施の形態】
（第１実施形態）
本発明の第１実施形態を図１乃至図３を用いて説明する。図１は本実施形態に係る内視鏡システムの全体図、図２は内視鏡とその周辺装置及び洗浄装置の斜視図、図３は洗滌情報のリストを列記したデータ表記図である。
【００１５】
（構成）
図１中、符号１は内視鏡、２は内視鏡情報管理装置、３は内視鏡用洗滌機であり、４は読取器である。
【００１６】
内視鏡１には円柱型トランスポンダ１１が取り付けられている。内視鏡１を複数所有している場合はそれぞれの内視鏡１に円柱型トランスポンダ１１を取り付ける。
【００１７】
ユーザー５はネームプレート型トランスポンダ１２を所持している。ユーザー５が複数人いる場合はそれぞれのユーザー５に別々のネームプレート型トランスポンダ１２を所有させる。ネームプレート型トランスポンダ１２は名札と兼用する等して必ず携行するようにする。
【００１８】
また、洗滌機３にはネームプレート型トランスポンダ１３が着脱自在に設けられており、洗滌機３を複数所有している場合はそれぞれの洗滌機３に別々のネームプレート型トランスポンダ１３を取り付ける。
【００１９】
円柱型トランスポンダ１１とネームプレート型トランスポンダ１２はアンテナ１５及び読取器４と組み合わせて使用されるものであり、非接触のＩＤシステムとして、テキサスインストルメンツ社などから商品化されている。また、円柱型トランスポンダ１１、ネームプレート型トランスポンダ１２は一般的にはトランスポンダや自動無線応答機または電波反射装置と呼ばれる。
【００２０】
また、円柱型トランスポンダ１１はガラスの中に封入されており、水密性を有している。従って、この円柱型トランスポンダ１１は内視鏡１と一緒に洗滌が可能である。
【００２１】
アンテナ１５は読取器４に接続される。アンテナ１５は読取器４から離れて移動自在に設けられていても良いし、読取器４と一体に固定されていても良い。
【００２２】
そして、読取器４はアンテナ１５を経由して、トランスポンダである円柱型トランスポンダ１１とネームプレート型トランスポンダ１２に向けて電波を発信し、その円柱型トランスポンダ１１とネームプレート型トランスポンダ１２に応答用のエネルギーを供給する。また、各トランスポンダ１１，１２は電磁誘導によって電力を得て、各々持っている認識信号を発信するようになっている。したがって、トランスポンダ１１，１２には電源の供給が不要であり、小型化およびワイヤレス化が達成できる。
【００２３】
また、読取器４は送信状態から受信状態に切り替わることで、その認識信号をアンテナ１５を経由して読取器４が受信でき、識別が可能となる。これらの送受信はすべて電波で行うので、円柱型トランスポンダ１１、ネームプレート型トランスポンダ１２と、アンテナ１５、読取器４は非接触に設けることができる。つまり、この識別手段と読取手段は、非接触式の無線を用いた通信装置を構成している。
【００２４】
上記トランスポンダは円柱や円盤、円筒のように、用途に合わせて自由な形状に形成することが可能である。また、アンテナ１５もポール型やゲート型等、用途に合わせて自由に設定可能である。
【００２５】
洗滌機３は読取器４と接続ケーブル２１によって接続される。内視鏡情報管理装置２は読取器４に接続ケーブル２２によって接続される。
【００２６】
内視鏡情報管理装置２はキーボードや外部コンピューターである入力装置２５を備える。読取器４には表示装置２６が設けられている。また、表示装置２６では内視鏡情報管理装置２の情報も表示できるようになっている。
【００２７】
また、内視鏡１は、図２で示すように、観察対象部位へ挿入する細長の挿入部３１と、この挿入部３１の基端部に連接された、把持部を兼ねる操作部３２と、この操作部３２の側壁部より延設された信号ケーブルやライトガイドなどを内蔵したユニバーサルコード３３と、このユニバーサルコード３３の延出先端部に設けられたコネクタ部３４とを備えて構成される。
【００２８】
また、内視鏡１はコネクタ部３４を用いて外部の光源装置３５に着脱自在に接続される。コネクタ部３４にはビデオプロセッサ３６に通じる接続コード３７を着脱自在に接続する接続部３８が設けられている。
【００２９】
ビデオプロセッサ３６には観察画像を表示するモニタ３９が設けられている。また、ビデオプロセッサ３６には図示しないＶＴＲデッキ、ビデオプリンタ、ビデオディスク、画像ファイル記録装置などが接続できるようになっている。
【００３０】
上記円柱型トランスポンダ１１はユニバーサルコード３３の途中部位にテープ状固定部材４０によって固定されている。
【００３１】
内視鏡情報管理装置２は図２で示すように、上記洗滌機３の本体上面に設置されている。内視鏡情報管理装置２の本体にはアンテナ１５が付設されている。従って、円柱型トランスポンダ１１とネームプレート型トランスポンダ１２とネームプレート型トランスポンダ１３の識別手段がいずれもが読取器４のアンテナ１５の近く位置する関係で設けられている。
【００３２】
（作用）
内視鏡システムを実際に使用する場合について説明する。まず、以下の前準備を行う。
【００３３】
（１）内視鏡１の登録。
内視鏡１の円柱型トランスポンダ１１をアンテナ１５で読み取り、そのスコープ識別信号４１を、読取器４を経由して、内視鏡情報管理装置２に転送する。また、キーボードや外部コンピューターである入力装置２５により、内視鏡情報管理装置２に機種名やシリアルNo.を入力して、内視鏡１の個別情報を登録する。
【００３４】
（２）ユーザー５の登録。
ユーザー５の所有するネームプレート型トランスポンダ１２をアンテナ１５で読み取り、そのユーザー識別信号４２を、読取器４を経由し、内視鏡情報管理装置２に転送し、一方、入力装置２５によって、内視鏡情報管理装置２に、ユーザー名等の個別情報を登録する。
【００３５】
（３）洗滌機３の登録。
洗滌機３のネームプレート型トランスポンダ１３をアンテナ１５で読み取り、その洗滌機識別信号４３を読取器４を経由し、内視鏡情報管理装置２に転送する。入力装置２５により、洗滌機３の機種名やシリアルNo.を内視鏡情報管理装置２に入力して、洗滌機３の識別情報を登録する。
【００３６】
以上の前準備が終了した後、以下のような手順で実際の作業を行なう。
（１）検査の終了した内視鏡１を洗滌機３にセットする。
【００３７】
（２）アンテナ１５で、内視鏡１の円柱型トランスポンダ１１を読取（スキャン）し、そのスコープ識別信号４１を読取器４に取り込む。
【００３８】
（３）アンテナ１５で、ユーザー５のネームプレート型トランスポンダ１２をスキャンし、ユーザー識別信号４２を読取器４に取り込む。
【００３９】
（４）アンテナ１５で、洗滌機３のネームプレート型トランスポンダ１３をスキャンし、洗滌機識別信号４３を読取器４に取り込む。
【００４０】
（５）洗滌機３を作動させる。
【００４１】
（６）洗滌機３の動作中に、洗滌情報４４が順次読取器４に転送される。この洗滌情報４４は図３に示したようなデータである。
【００４２】
（７）洗滌機３の動作が終了したと同時に、読取器４に蓄積されているスコープ識別信号４１、ユーザー識別信号４２、洗滌機識別信号４３、洗滌情報４４を内視鏡情報管理装置２に転送する。このとき、転送する前に転送する内容を表示装置２６に表示させてもよい。そして、この表示内容を確認後、例えば、読取器４に設けた転送スイッチ（図示せず）を押すことで、転送を開始する。
【００４３】
（８）内視鏡情報管理装置２は、これに蓄積されていた、内視鏡１の内視鏡管理情報を更新する。一方、周辺機器からも、動作情報等が発信され、内視鏡情報管理装置２ではその情報が処理されると共に内視鏡管理情報に書き加えられ、また、各々の情報を記録し、更新する。
【００４４】
（９）ユーザー５は、その内視鏡１の情報を見て、例えば洗滌／消毒済みであるか否かを確認し、検査に使用して良いか否かを判断する。
【００４５】
（１０）その後、検査を行う。
【００４６】
以上の如く、内視鏡情報管理装置２では内視鏡１及び周辺機器の情報を得て内視鏡管理情報を作成しており、内視鏡１の洗滌情報（使用洗滌機、洗滌／消毒日時、洗滌／消毒実施者等）や使用来歴（使用日、使用（洗滌／消毒）の累積回数、使用者、前回の点検／修理日）等の情報が自動的に管理される。従って、ユーザーは、例えば表示装置２６により洗滌情報が明らかな内視鏡を使用することが可能であり、内視鏡の破損防止や点検の時期を明確に知ることが可能である。
【００４７】
（効果）
内視鏡１の洗滌／消毒情報や使用来歴が自動的に管理され、その確認もすぐにできる。円柱型トランスポンダ１１も内視鏡１に自由に着脱でき、内視鏡１が破損した場合でも、円柱型トランスポンダ１１を別の内視鏡１に取り付けて使用可能である。
【００４８】
また、トランスポンダ１１が破損した場合でも、新しいトランスポンダを既存の内視鏡と関連づけて登録すればよいので、内視鏡管理情報が失われることがない。
【００４９】
（第２実施形態）
本発明の第２実施形態を図４乃至図６を用いて説明する。図４は本実施形態に係る内視鏡システムの全体図、図５は光源装置とビデオプロセッサの斜視図、図６はビデオプロセッサの使用データを列記した表記図である。
【００５０】
（構成）
内視鏡１には、前述した第１実施形態と同じく、円柱型トランスポンダ１１が取り付られている。
【００５１】
ドクター（検査者）５１はネームプレート型トランスポンダ１２を所有している。ドクター（検査者）５１が複数人いる場合はそれぞれのドクター５１にネームプレート型トランスポンダ１２を所有させる。ネームプレート型トランスポンダ１２は名札と兼用する等して、必ず携行させるようにする。
【００５２】
周辺装置の一つであるビデオプロセッサ３６にはネームプレート型トランスポンダ１３を設けてあり、ビデオプロセッサ３６を複数所有している場合はそれぞれのビデオプロセッサ３６にネームプレート型トランスポンダ１３を取り付ける。
【００５３】
また、アンテナ１５は読取器４に接続されている。図５で示すように、アンテナ１５はビデオプロセッサ３６の前面壁に突出して固定されており、かつ円柱型トランスポンダ１１等と通信可能な位置に設けられている。
尚、アンテナ１５は移動自在かつ着脱自在に設けても良い。
【００５４】
ビデオプロセッサ３６は読取器４に接続されている。ビデオプロセッサ３６にはモニタ４６が接続されている。また、読取器４は内視鏡情報管理装置２にも接続されている。
【００５５】
（作用）
円柱型トランスポンダ１１、ネームプレート型トランスポンダ１３、アンテナ１５、読取器４についての使用方法は、前述した第１実施形態の場合と略同じであるが、ここではさらにビデオプロセッサ３６の登録を行なうようにする。
【００５６】
すなわち、準備の登録が終了した後、実際の作業を以下のような手順で行なう。
（１）検査を行う内視鏡１をビデオプロセッサ３６にセットする。
【００５７】
（２）アンテナ１５は内視鏡１がセットされ、読取器４に読取操作をさせることで、内視鏡１の円柱型トランスポンダ１１を読取（スキャン）し、スコープ識別信号４１を読取器４に取り込む。
【００５８】
（３）アンテナ１５でドクター（検査者）５１のネームプレート型トランスポンダ１２をスキャンし、ドクター識別信号５２を読取器４に取り込む。
【００５９】
（４）アンテナ１５でビデオプロセッサ３６のネームプレート型トランスポンダ１３をスキャンし、プロセッサ情報５３を読取器４に取り込む。
【００６０】
尚、ネームプレート型トランスポンダ１３は図５で示すように、アンテナ１５の近傍に位置させれば、読取器４を作動すると自動的にスキャン可能となる。
【００６１】
（５）ビデオプロセッサ３６を作動させる。
【００６２】
（６）読取器４にはデータ表示機能が設けられており、例えば、読取器４に設けた表示スイッチをＯＮすることで、内視鏡情報管理装置２から内視鏡管理情報５４を読み出し、ビデオプロセッサ３６を経由してモニタ４６に表示させる。
【００６３】
（７）ドクター（検査者）５１、ユーザー５は、その内視鏡１の情報を見て、例えば洗滌／消毒済みであるか否かを確認し、検査に使用して良いか否かを判断する。
【００６４】
（８）その後、検査を行う。
【００６５】
このとき、ビデオプロセッサ３６の動作中に、検査情報５５が順次読取器４に転送される。ここで、検査情報５５は図６で示したような内容のデータである。
【００６６】
（９）ビデオプロセッサ３６の動作が終了したと同時に、読取器４に蓄積されているドクター識別信号５２、スコープ識別信号４１、プロセッサ情報５３、検査情報５５を内視鏡情報管理装置２に転送する。
【００６７】
この際、転送する前に転送する内容を表示装置２６に表示させてもよい。この表示内容を確認後、例えば、読取器４に設けた転送スイッチをＯＮすることで、転送を開始する。
【００６８】
（１０）内視鏡情報管理装置２は、蓄積されていた、内視鏡１の内視鏡管理情報５４を更新する。
【００６９】
（効果）
内視鏡１の洗滌／消毒情報を使用する前に確認でき、誤って未消毒の内視鏡１が使用されることを防止できる。
また、ビデオプロセッサ３６の使用情報が自動的に管理され、点検の要否判断の参考となる。
【００７０】
（第３実施形態）
本発明の第３実施形態を図７を用いて説明する。図７は内視鏡システムの光源装置３５およびビデオプロセッサ３６をトロリー６１に収納した形態の斜視図である。
【００７１】
（構成）
本実施形態では前述したアンテナ１５を上記トロリー６１の前壁に取り付けたものである。これ以外は前述した実施形態のものと同様である。
【００７２】
（作用）
内視鏡１、光源装置３５、ビデオプロセッサ３６の円柱型トランスポンダ１１、ネームプレート型トランスポンダ１２との通信がアンテナ１５を動かさずに可能である。
【００７３】
光源装置３５およびビデオプロセッサ３６を、トロリー６１の高いところに設置すれば、ドクター（検査者）５１のネームプレート型トランスポンダ１２もアンテナ１５を動かさずに通信できる。
【００７４】
（効果）
第１、２実施形態と同じ効果に加え、本実施形態では通信作業が簡単に行なうことができるという利点がある。
【００７５】
（第４実施形態）
本発明の第４実施形態を図８を用いて説明する。図８は本実施形態に係る内視鏡システムの光源装置３５の斜視図である。
【００７６】
（構成）
本実施形態ではアンテナ１５をゲート状に構成して光源装置３５の前面壁において内視鏡接続部６２と同心的に配設したものである。
【００７７】
（作用・効果）
アンテナ１５が光源装置３５の前面壁に配設したものであるため、内視鏡１との通信がより確実である。また、アンテナ１５をゲート状に構成してあるので、コンパクトに構成することができる。その他の効果は第２実施形態と同じである。
【００７８】
（第５実施形態）
本発明の第５実施形態について説明する。
【００７９】
（構成）
例えば図５において示すようなビデオプロセッサ３６に読取器４を一体的に組み込んで設けたものである。
【００８０】
（作用・効果）
本実施形態によれば、ビデオプロセッサ３６自体の識別が不要であり、アンテナ１５の配設が自由にできるため、装置の省スペース化および通信の確実性が増す。その他の効果は前述した第２実施形態と同じである。
【００８１】
（第６実施形態）
本発明の第６実施形態を図９および図１０を用いて説明する。図９および図１０はいずれも内視鏡１のコネクタ部３４の斜視図である。
【００８２】
（構成）
図９で示すものは内視鏡１のコネクタ部３４の外装に溝部７１を設け、この溝部７１に円柱型トランスポンダ１１ａを収納するようにした。溝部７１は円柱型トランスポンダ１１が密に嵌り込む形と大きさになっている。円柱型トランスポンダ１１を密に嵌め込んで収納した後に溝部７１はシール７２によって覆われ、閉塞される。
【００８３】
図１０で示すものは上記円柱型トランスポンダ１１ａの替わりに円盤型トランスポンダ１１ｂを使用するものである。すなわち内視鏡１のコネクタ部３４の外装に円盤型トランスポンダ１１ｂを嵌め込む円盤状の溝部７３を設け、この溝部７３内に円盤型トランスポンダ１１ｂを収納する。円盤型トランスポンダ１１ｂを収納した溝部７３はシール７２によって覆われ、閉塞される。また、円盤型トランスポンダ１１ｂを成形している樹脂は、洗滌・消毒・滅菌に使用する薬剤に対して十分な耐久性を有するものとした。例えば、変性ＰＰＯ、フッ素樹脂、ＰＳＵ、シリコンとする。
【００８４】
（作用・効果）
円柱型トランスポンダ１１ａまたは円盤型トランスポンダ１１ｂを溝部７１，７３内に収納し、その上をシール７２で覆ったので、円柱型トランスポンダ１１ａまたは円盤型トランスポンダ１１ｂが外部に突出したり露出したりしない。このため、円柱型トランスポンダ１１ａまたは円盤型トランスポンダ１１ｂが取扱い時の邪魔にならず、また、それらが破損する虞が少なくなる。
【００８５】
さらに、円柱型トランスポンダ１１ａまたは円盤型トランスポンダ１１ｂを内視鏡１の硬性部分に設けているので、内視鏡１の取扱い時に軟性部分の動きを妨げることがない。
さらに、トランスポンダ１１はガラスで形成された場合、衝撃に対してわれ易かったが、樹脂にすることで強度を改善できる。また、耐薬品性を確保した為、劣化が防止できる。さらに、トランスポンダ１１を成形するため、その形状を自由に変更することができる。
【００８６】
その他の作用効果は前述した第１・第２実施形態と同じである。
【００８７】
（第７実施形態）
本発明の第７実施形態を図１１を用いて説明する。図１１は内視鏡１のコネクタ部３４の斜視図である。
【００８８】
（構成）
本実施形態では内視鏡１のコネクタ部３４の外装に溝部７５を設け、この溝部７５に円柱型トランスポンダ１１を収納するようにした。溝部７５は円柱型トランスポンダ１１が密に嵌り込む大きさになっている。円柱型トランスポンダ１１を収納した溝部３１の開口部分はプレート７６で覆われる。溝部７５の周縁にはプレート７６を重ね合わせるプレート固定部７７が形成されている。プレート７６はプレート固定部７７に固定ビス７８を用いて固定されている。
【００８９】
（効果）
本実施形態においても円柱型トランスポンダ１１が外表面に突出しないため、内視鏡１の取扱い時に円柱型トランスポンダ１１の取り扱えの邪魔になったり円柱型トランスポンダ１１が破損したりする虞が少なくなる。その他、前述した第１、第２実施形態と同じ効果が得られる。
【００９０】
尚、上記プレート固定部７７に装着するプレート７６の表面に製品の名称やシリアルNoを記載したものとしてもよい。
【００９１】
（第８実施形態）
本発明の第８実施形態を図１２を用いて説明する。図１２は内視鏡１のコネクタ部３４の外装部分の断面図である。
【００９２】
（構成）
本実施形態では、コネクタ部３４の外装の内壁面に円盤型トランスポンダ８１が収納できる大きさの溝部８２を円盤状に設けた。この円盤型トランスポンダ８１は樹脂で成形されている。円盤型トランスポンダ８１を上記溝部８２に収納し、その上をシール８３で覆って封止した。円盤型トランスポンダ８１は樹脂で成形されている。
【００９３】
円盤型トランスポンダ８１をコネクタ部３４の外装の内側に設けたことにより、それの耐薬品性の確保対策が不要となり、また、トランスポンダ８１に用いる樹脂の選択範囲が増える。すなわち、成形性の良い樹脂を選択すれば、円盤型トランスポンダ８１の形状の自由度も増す。
尚、本実施形態を適用できるトランスポンダとしては円盤状のものに限らない。
【００９４】
（第９実施形態）
本発明の第９実施形態を図１３を用いて説明する。図１３は内視鏡１の折止め部分の縦断面図である。
【００９５】
（構成）
本実施形態では内視鏡１の折止め部材９１の内装に円柱型トランスポンダ１１ｃまたは円筒形トランスポンダ１１ｄを設けた。円柱型トランスポンダ１１ｃは円柱状に成形されるものであり、円筒形トランスポンダ１１ｄは円筒状に成形されるものである。
【００９６】
折止め部材９１の内側部分には画像信号等を伝送するためのケーブル９２が配設されており、このケーブル９２の周囲には電気的なシールドを行うためのシールド部材９３が設けられている。
【００９７】
尚、ケーブル９２をシールドするための部材としてはシールド部材９３の様な略筒状の部材である他に螺旋管や網状部材であってもよい。
【００９８】
また、シールド部材９３を固定するための円筒形固定部材９４はシールド部材９３の外側周囲に位置している。そして、円筒形固定部材９４の内面に上記円柱型トランスポンダ１１ｃまたは円筒形トランスポンダ１１ｄが固定的に設けられている。
【００９９】
（作用・効果）
本実施形態では上記円柱型トランスポンダ１１ｃまたは円筒形トランスポンダ１１ｄがシールド部材の外側に位置するので、トランスポンダ１１ｃ，１１ｄが電気的にシールドされているため、駆動しても、内視鏡１に電磁的な悪影響を与えない。
【０１００】
さらに、上記円柱型トランスポンダ１１ｃまたは円筒形トランスポンダ１１ｄの通信周波数を内視鏡１のＥＭＣ性能の影響を与えない周波数域に設定することで、内視鏡１への電磁的な悪影響はさらに少なくなる。
【０１０１】
上記円柱型トランスポンダ１１ｃまたは円筒形トランスポンダ１１ｄの通信周波数としては電子式内視鏡のＣＣＤの駆動周波数よりも低いことが望ましく、１ＭＨｚ以下であることが望ましい。特に、１２０〜１４０ｋＨｚ位が最も望ましい。
【０１０２】
また、円筒形トランスポンダ１１ｄを使用すれば、折止め部材９１の内側に効率的かつ確実に配設することができる。
その他の作用効果は前述した第１、第２実施形態と同じである。
【０１０３】
（第９実施形態の変形例）
折止め部材９１の内装に図１４で示すような円筒状の円筒形固定部材９５を設け、この円筒形固定部材９５の外周の一部に溝部９６を形成し、この溝部９６内に上記円柱型トランスポンダ１１ｃを配設したものである。
【０１０４】
ここで、円筒形固定部材９５は上記円筒形トランスポンダ１１ｄと同じ形状であり、折止め部材９１内に配設可能な大きさのものである。また、溝部９６は上記円柱型トランスポンダ１１ｃが収納可能な大きさである。そして、溝部９６には円柱型トランスポンダ１１ｃが密に嵌め込まれて固定されている。
【０１０５】
（作用・効果）
本変形例によれば、円柱型トランスポンダ１１ｃを使用しても折止め部材９１内に確実に配設することができる。その他の作用・効果は先の実施形態と同じである。
【０１０６】
（第１０実施形態）
前述した第２実施形態において、円柱型トランスポンダのもつ情報を内視鏡のＣＣＤの種類を示すＣＣＤ情報にした。ＣＣＤは固有の色調を有しており、ＣＣＤが異なると、色調を全く同じにすることはできない。ビデオプロセッサは内視鏡のＣＣＤごとの色調補正データを有している。
【０１０７】
また、読取器４は円柱型トランスポンダから得たＣＣＤ情報をビデオプロセッサに伝送する。
【０１０８】
ビデオプロセッサはＣＣＤ情報を受けて、自身のもつ色調補正データに基づいて、出力する色調を変更する。
【０１０９】
（効果）
本実施形態によれば、内視鏡１（特にＣＣＤ）の違いによる色調の違いを補正することができ、内視鏡１が変わっても表示される画像の色調は変化しない。したがって、ユーザーが色調を調整する必要がなくなる。
【０１１０】
尚、本発明は前述した各実施形態のものに限られるものではなく、その他、種々の変形例が考えられる。たとえば、トランスポンダを取り付ける位置は内視鏡のコネクタの近傍に限るものではなく、内視鏡の操作部でも良い。また、トランスポンダは、読取専用だけでなく、書き込み可能なものを使用しても良い。
【０１１１】
上記説明によれば以下の付記に挙げる各項およびそれらの項を任意に組み合わせたものが得られる。
【０１１２】
〔付記〕
付記１．個別に内視鏡の来歴等の固有情報を管理するために固有の情報を読み込み可能である識別手段を備えたことを特徴とする内視鏡。
【０１１３】
付記２．固有情報を読み込み可能な第１の識別手段を備えた内視鏡と、個々を識別するための固有の識別情報を読み込み可能な第２の識別手段を備えた周辺装置と、上記内視鏡または上記周辺装置を操作する操作者の固有情報を読み込み可能な第３の識別手段のうち少なくともいずれかと、
上記選ばれた内視鏡、周辺装置または操作者の識別手段の情報を読み込み可能な読み取り手段と、
上記読み取り手段の読み取り結果に基づいて上記内視鏡の使用状況、上記周辺装置と上記内視鏡の関連情報を管理する管理手段と
を備えたことを特徴とする内視鏡システム。
【０１１４】
付記３．上記識別手段は、非接触で検出できる電波反射装置であることを特徴とする付記１に記載の内視鏡または付記２に記載の内視鏡システム。
【０１１５】
付記４．内視鏡と周辺機器から構成される内視鏡システムにおいて、
内視鏡に一体的に設けられ、この内視鏡を識別するための識別情報を有する識別手段と、
上記識別手段から内視鏡の識別情報を読み取る読取手段と、
上記読取手段によって読み取られた内視鏡の識別情報を個体情報に変換するデータ変換手段と、
を有することを特徴とする内視鏡システム。
【０１１６】
付記５．個体情報を表示する手段を有する、付記４。
【０１１７】
付記６．個体情報と、
周辺機器が発信する周辺機器情報と、
を関連をつけて処理するデータ処理手段を有する、付記４。
【０１１８】
付記７．データ処理手段の処理は保存である、付記６。
【０１１９】
付記８．データ処理手段の処理は表示である、付記６。
【０１２０】
付記９．データ処理手段の処理は周辺機器の制御である、付記６。
【０１２１】
付記１０．識別手段は内視鏡のシールド部材よりも外装に設けている、付記４。
【０１２２】
付記１１．識別手段と読取手段の通信周波数は、ＣＣＤの駆動周波数よりも低い周波数である、付記４。
【０１２３】
付記１２．上記内視鏡システムは、
少なくとも１つ以上の周辺機器に一体的に設けられた、周辺機器を識別する為の識別情報を有する第２の識別手段を有し、
上記読取手段は上記第２の識別手段から第２の識別情報を読み取ると共に、  上記データ変換手段とデータ処理手段は、上記第２の識別情報を個体情報に変換することを特徴とする、付記４。
【０１２４】
付記１３．識別手段と読取手段は、非接触式の無線を用いた通信装置である、付記４。
【０１２５】
付記１４．識別手段は、水密性を有している、付記４。
【０１２６】
付記１５．識別手段は、内視鏡に対して着脱自在に設けている、付記４。
【０１２７】
付記１６．読取手段は、移動自在に設けている、付記４。
【０１２８】
付記１７．内視鏡を周辺機器に取り付けた状態で、
読取可能な位置に識別手段および読取手段を設けた、付記４。
【０１２９】
付記１８．周辺機器と読取手段、データ変換手段、データ処理手段を一体的に設けた、付記４。
【０１３０】
付記１９．識別手段は、内視鏡の内部の水密部に設けた、付記４。
【０１３１】
付記２０．周辺機器は、洗滌機である、付記１２。
【０１３２】
付記２１．周辺機器は、ビデオプロセッサである、付記１２。
【０１３３】
付記２２．周辺機器は、光源装置である、付記１２。
【０１３４】
付記２３．周辺機器とは別体な装置に読取手段を設け、
読取手段によって読み取られた識別情報を周辺機器に伝送する伝送手段を有する、付記１７。
【０１３５】
付記２４．識別手段を内視鏡の硬性部に設けた、付記１７。
【０１３６】
付記２５．識別手段を内視鏡のコネクター部に設けた、付記１７。
【０１３７】
付記２６．識別手段を内視鏡の操作部に設けた、付記１７。
【０１３８】
【発明の効果】
本発明によれば、内視鏡の管理情報の記録が自動的に行なえ、ユーザーの手間が簡略化される。
【図面の簡単な説明】
【図１】本発明の第１実施形態に係る内視鏡システムの全体図。
【図２】第１実施形態に係る内視鏡とその周辺装置及び洗浄装置の斜視図。
【図３】本発明の第１実施形態に係る内視鏡システムにおいての洗滌情報のリストを列記したデータ表記図。
【図４】本発明の第２実施形態に係る内視鏡システムの全体図。
【図５】本発明の第２実施形態に係る光源装置とビデオプロセッサの斜視図。
【図６】本発明の第２実施形態に係る内視鏡システムにおいての洗滌情報のリストを列記したデータ表記図。
【図７】本発明の第３実施形態に係る内視鏡システムの光源装置およびビデオプロセッサをトロリー６１に収納した形態の斜視図。
【図８】本発明の第４実施形態に係る内視鏡システムの光源装置の斜視図。
【図９】本発明の第６実施形態に係る内視鏡システムの内視鏡のコネクタ部の斜視図。
【図１０】本発明の第６実施形態に係る内視鏡システムの他の内視鏡のコネクタ部の斜視図。
【図１１】本発明の第７実施形態に係る内視鏡システムの他の内視鏡のコネクタ部の斜視図。
【図１２】本発明の第８実施形態に係る内視鏡システムの内視鏡のコネクタ部の断面図である。
【図１３】本発明の第９実施形態に係る内視鏡システムの内視鏡の折止め部分の縦断面図。
【図１４】本発明の第９実施形態の変形例に係る円柱型トランスポンダの取り付け部材の斜視図。
【符号の説明】
１…内視鏡、２…内視鏡情報管理装置、３…内視鏡用洗滌機、
４…読取器、５…ユーザー、１１…トランスポンダ、１２…トランスポンダ、１３…トランスポンダ、１５…アンテナ。
【図１】
0003864035.tif 000002
【図２】
0003864035.tif 000003
【図３】
0003864035.tif 000004
【図４】
0003864035.tif 000005
【図５】
0003864035.tif 000006
【図６】
0003864035.tif 000007
【図７】
0003864035.tif 000008
【図８】
0003864035.tif 000009
【図９】
0003864035.tif 000010
【図１０】
0003864035.tif 000011
【図１１】
0003864035.tif 000012
【図１２】
0003864035.tif 000013
【図１３】
0003864035.tif 000014
【図１４】
0003864035.tif 000015